(57)【要約】【課題】広告看板が設置される周囲の騒音等の状況に応じた音声再生を可能とすること。【解決手段】広告内容が印刷された広告看板２と、人の近接を検知するための人近接検知手段２５と、前記広告看板２の広告内容に関する音声データ或いは音楽データを記憶する音声データ記憶手段３４と、該音声データ記憶手段３４に記憶されている音声データ或いは音楽データを前記人近接検知手段２５による人の近接に基づいて再生して出力する音声再生出力手段３５、３６、２８と、を具備する再生ユニット２０と、から成り、人の接近に伴って前記広告看板２の広告内容に関する音声或いは音楽を再生出力する音声再生広告看板１において、周囲の騒音レベルを検知するための騒音レベル検知手段２７と、前記音声再生出力手段３５、３６、２８にて再生出力される音声或いは音楽の音量レベルを変更するための音量変更手段３０、３６と、を備え、前記騒音レベル検知手段２７にて検知された騒音レベルに基づき、音量変更手段３０、３６にて再生出力する音量を、騒音レベルに対応した音量に増減させる。【選択図】　図１
2004062121.tif 000002
【特許請求の範囲】
【請求項１】
広告内容が印刷された広告看板と、
人の近接を検知するための人近接検知手段と、前記広告看板の広告内容に関する音声データ或いは音楽データを記憶する音声データ記憶手段と、該音声データ記憶手段に記憶されている音声データ或いは音楽データを前記人近接検知手段による人の近接に基づいて再生して出力する音声再生出力手段と、を具備する再生ユニットと、
から成り、人の接近に伴って前記広告看板の広告内容に関する音声或いは音楽を再生出力する音声再生広告看板において、
周囲の騒音レベルを検知するための騒音レベル検知手段と、前記音声再生出力手段にて再生出力される音声或いは音楽の音量レベルを変更するための音量変更手段と、を備え、前記騒音レベル検知手段にて検知された騒音レベルに基づき、音量変更手段にて再生出力する音量を、騒音レベルに対応した音量に増減させることを特徴とする音声再生広告看板。
【請求項２】
前記騒音レベル検知手段並びに音量変更手段が前記再生ユニットに内在され、該再生ユニットが広告看板に対して着脱可能に設けられている請求項１に記載の音声再生広告看板。
【請求項３】
前記再生ユニットの取外しを困難化する施錠手段を備える請求項２に記載の音声再生広告看板。
【請求項４】
前記音声再生出力手段は、前回の音声出力の終了から、予め定められた所定時間を経過していない場合には、前記人近接検知手段による人の近接検知があった場合でも、音声データ或いは音楽データの再生出力を行わない請求項１〜３のいずれかに記載の音声再生広告看板。
【請求項５】
前記予め定められた所定時間を設定変更するための所定時間設定変更手段を備える請求項４に記載の音声再生広告看板。
【請求項６】
前記音声再生出力手段からの再生出力を禁止する再生禁止期間が設けられている請求項１〜５のいずれかに記載の音声再生広告看板。
【請求項７】
前記再生禁止期間を設定するための再生禁止期間設定手段を備える請求項６に記載の音声再生広告看板。
【請求項８】
前記音声データ記憶手段は、データ書き換え可能とされており、該音声データ記憶手段に記憶されている音声データ或いは音楽データを書き換え更新するための更新手段を備える請求項１〜７のいずれかに記載の音声再生広告看板。
【請求項９】
前記音声データ記憶手段に新たに書き換えを行う書き換えデータを、非接触にて受信する非接触通信手段を備える請求項８に記載の音声再生広告看板。
【請求項１０】
前記音声データ記憶手段が、前記再生ユニットに対して着脱自在とされている請求項１〜９のいずれかに記載の音声再生広告看板。
【請求項１１】
前記音声データ記憶手段には、複数の音声データ或いは音楽データが記憶され、該記憶されている複数の音声データ或いは音楽データの中から再生する音声データ或いは音楽データを指定するための再生データ指定手段を備える請求項１〜１０のいずれかに記載の音声再生広告看板。
【請求項１２】
前記音声データ記憶手段に記憶されている音声データ或いは音楽データが、該音声データ或いは音楽データが対応する広告看板の種別を特定可能な識別符号に対応付けて登録されていて、前記広告看板には、該広告看板の種別に固有に付与されることで該広告看板の種別を特定可能な識別符号が表記されており、前記再生データ指定手段においては、該広告看板に表記された前記識別符号を入力或いは指定することで、該入力或いは指定された識別符号に対応して前記音声データ記憶手段に記憶されている音声データ或いは音楽データが再生出力される請求項１１に記載の音声再生広告看板。
【発明の詳細な説明】
【０００１】
【発明の属する技術の分野】
本発明は、人の接近に伴って、広告看板に関連した音声や音楽を再生する音声再生広告看板の改良に関する。
【０００２】
【従来の技術】
従来、これら音声再生広告看板としては、特開２００２−８２６４２号公報にあるように、人の接近を感知して予め記憶しているアナウンス等の音声を再生するものがあった。
【０００３】
【発明が解決しようとする課題】
これら音声等の再生を行う広告装置や広告看板は、被広告者の注意を引き付けることにより、従来の音声再生を行わないものに比較して高い広告効果を得ることができるものの、これらの広告看板が設置される場所が、公衆の場所であるために、設置場所によって、周囲の騒音が日々刻々と変化することから、再生される音声が、騒音が大きいと被広告者の注意を引き付けるのに不十分となり、広告効果の向上効果が低減してしまうとともに、逆にこれら再生される音声が比較的大きな音量とされていると、周囲の騒音が少ない夜間等にあては、これら再生される音声が騒音となってしまうという問題があった。
【０００４】
よって、本発明は上記した問題点に着目してなされたもので、広告看板が設置される周囲の騒音等の状況に応じた音声再生を行うことのできる音声再生広告看板を提供することを目的としている。
【０００５】
【課題を解決するための手段】
前記した問題を解決するために、本発明の音声再生広告看板は、広告内容が印刷された広告看板と、
人の近接を検知するための人近接検知手段と、前記広告看板の広告内容に関する音声データ或いは音楽データを記憶する音声データ記憶手段と、該音声データ記憶手段に記憶されている音声データ或いは音楽データを前記人近接検知手段による人の近接に基づいて再生して出力する音声再生出力手段と、を具備する再生ユニットと、
から成り、人の接近に伴って前記広告看板の広告内容に関する音声或いは音楽を再生出力する音声再生広告看板において、
周囲の騒音レベルを検知するための騒音レベル検知手段と、前記音声再生出力手段にて再生出力される音声或いは音楽の音量レベルを変更するための音量変更手段と、を備え、前記騒音レベル検知手段にて検知された騒音レベルに基づき、音量変更手段にて再生出力する音量を、騒音レベルに対応した音量に増減させることを特徴としている。
この特徴によれば、騒音レベル検知手段を有し、該騒音レベル検知手段にて検知された周囲の騒音レベルに基づき、該騒音レベルに対応した音量に、再生音声或いは再生音楽が音量変更手段にて適宜に調整されるようになるため、広告看板が設置される周囲の騒音等の状況に応じた音声再生を行うことができる。
【０００６】
本発明の音声再生広告看板は、前記騒音レベル検知手段並びに音量変更手段が前記再生ユニットに内在され、該再生ユニットが広告看板に対して着脱可能に設けられていることが好ましい。
このようにすれば、再生ユニットの変更や更新操作を、再生ユニットを広告看板から取り外すことで、容易に実施することができる。
【０００７】
本発明の音声再生広告看板は、前記再生ユニットの取外しを困難化する施錠手段を備えることが好ましい。
このようにすれば、前記着脱可能とされた再生ユニットが持ち去られてしまうことを極力回避できる。
【０００８】
本発明の音声再生広告看板は、前記音声再生出力手段は、前回の音声出力の終了から、予め定められた所定時間を経過していない場合には、前記人近接検知手段による人の近接検知があった場合でも、音声データ或いは音楽データの再生出力を行わないことが好ましい。
このようにすれば、所定時間が経過した後において、人の近接検知があった場合においてのみ音声データ或いは音楽データが再生出力されることで、のべつまくなしに音声データ或いは音楽のデータの再生が行われることがなく、前記所定時間を該広告看板が設置された周囲の状況に合わせて適宜に調整しておくことで、節度を持った広告を実施することができる。
【０００９】
本発明の音声再生広告看板は、前記予め定められた所定時間を設定変更するための所定時間設定変更手段を備えることが好ましい。
このようにすれば、該広告看板が設置された周囲の状況に合わせて適宜に所定時間を変更できる。
【００１０】
本発明の音声再生広告看板は、前記音声再生出力手段からの再生出力を禁止する再生禁止期間が設けられていることが好ましい。
このようにすれば、例えば夜間等において、前記音声再生出力手段からの再生出力がうるさい等の苦情の発生を大幅に少ないものにできる。
【００１１】
本発明の音声再生広告看板は、前記再生禁止期間を設定するための再生禁止期間設定手段を備えることが好ましい。
このようにすれば、広告看板が設置された周囲の状況に合わせて再生禁止期間設定手段により再生禁止期間を設定、変更することができる。
【００１２】
本発明の音声再生広告看板は、前記音声データ記憶手段は、データ書き換え可能とされており、該音声データ記憶手段に記憶されている音声データ或いは音楽データを書き換え更新するための更新手段を備えることが好ましい。
このようにすれば、音声データ記憶手段に記憶されている音声データ或いは音楽データの更新を、迅速かつ簡便に実施できる。
【００１３】
本発明の音声再生広告看板は、前記音声データ記憶手段に新たに書き換えを行う書き換えデータを、非接触にて受信する非接触通信手段を備えることが好ましい。
このようにすれば、書き換えデータの更新を、非接触にて迅速かつ簡便に実施することができる。
【００１４】
本発明の音声再生広告看板は、前記音声データ記憶手段が、前記再生ユニットに対して着脱自在とされていることが好ましい。
このようにすれば、音声データ記憶手段の交換を容易に実施できることにより、これら音声データ記憶手段に記憶されている音声データや音楽データの更新を、簡便かつ迅速に実施できる。
【００１５】
本発明の音声再生広告看板は、前記音声データ記憶手段には、複数の音声データ或いは音楽データが記憶され、該記憶されている複数の音声データ或いは音楽データの中から再生する音声データ或いは音楽データを指定するための再生データ指定手段を備えることが好ましい。
このようにすれば、音声データ記憶手段に記憶されている音声データ或いは音楽データの更新頻度を低減でき、これら更新に要する労力や回数を大幅に削減できる。
【００１６】
本発明の音声再生広告看板は、前記音声データ記憶手段に記憶されている音声データ或いは音楽データが、該音声データ或いは音楽データが対応する広告看板の種別を特定可能な識別符号に対応付けて登録されていて、前記広告看板には、該広告看板の種別に固有に付与されることで該広告看板の種別を特定可能な識別符号が表記されており、前記再生データ指定手段においては、該広告看板に表記された前記識別符号を入力或いは指定することで、該入力或いは指定された識別符号に対応して前記音声データ記憶手段に記憶されている音声データ或いは音楽データが再生出力されることが好ましい。
このようにすれば、広告看板の種別に対応する音声や音楽が、誤って指定されて再生出力されてしまうことを、大幅に低減することができる。
【００１７】
【発明の実施の形態】
以下、図面に基づいて本発明の実施形態を説明する。
（実施例）
図１は、本実施例の音声再生広告看板１を示す外観正面図であり、本実施例の音声再生広告看板１は、外周枠３内に図示しない照光装置が内在され、該照光装置の前面を広告印刷がなされた透過看板４が覆うように配置された透光看板２と、前記外周枠３の下部中央位置に設置され、人が近づくことで音声を再生出力する音声出力部５とから構成されている。
【００１８】
本実施例に用いた音声出力部５は、図２に示すように、前記外周枠３に固定ねじ６にて固定される外装ボックス１０と、該外装ボックス１０に着脱自在に収納される再生ユニット２０とから主に構成され、本実施例では、外装ボックス１０の前面を開閉自在に覆う開閉扉１１に、該開閉扉１１の開放を規制するシリンダ錠１３が設けられており、該シリンダ錠１３を施錠することで、シリンダ錠１３に連設された出没自在とされた係合片１３’が、外装ボックス１０の開口側壁内部に設けられている係合孔１４と施錠時に係合することで、開閉扉１１の開放が不能とされるようになっている。
【００１９】
このように、再生ユニット２０の取外しを困難化する施錠手段であるシリンダ錠１３を備えることは、これら外装ボックス１０に着脱自在とされた再生ユニット２０が持ち去られてしまうことを極力回避できることから好ましいが、本発明はこれに限定されるものではなく、これら施錠手段を有しない構成としても良い。
【００２０】
また、本実施例では前述のように、再生ユニット２０を着脱可能としており、このようにすることは、再生ユニットの修理、或いは変更や更新操作を、再生ユニット２０を取り出すことで、容易に実施することができることから好ましいが、本発明はこれに限定されるものではなく、これら再生ユニット２０を着脱不能に固定するようにしても良い。
【００２１】
また、前記開閉扉１１の略中央部には、透明窓部１２が設けられており、前記開閉扉１１を閉じた状態であっても、該透明窓部１２を通じて、前記再生ユニット２０の前面パネルに設けられている液晶（ＬＣＤ）パネル２３の表示を外部から目視確認できるようになっているとともに、該前面パネルに設けられている近接センサ２５や赤外線通信ユニット２１の受光部が該透明窓部１２に臨むことで、人の接近の感知や赤外線通信によるデータの更新を開閉扉１１を閉じた状態にて実施できるようになっている。
【００２２】
また、外装ボックス１０の両側面には、図２に示すように（反対面は省略）、さ再生される音声が出力される放音部１５が設けられているとともに、これら周囲の騒音のレベルを検知するための外音取得孔１６が設けられており、前記放音部１５の内部には後述するスピーカ２８が、前記外音取得孔１６の内部位置には後述する外音センサ２７が配置されるようになっている。
【００２３】
次いで、本実施例の再生ユニット２０について説明すると、本実施例の再生ユニット２０は前記外装ボックス１０内部に内挿可能な長方形の箱状とされており、その前面パネルには、図２に示すように、電源のオン／オフを報知するための電源ＬＥＤ２２や、再生出力される音声データや音楽データを記憶するメモリカード３４が装着されるメモリカードスロット２６や、再生ユニット２０の状態や各種の設定メニュー等を表示するための液晶（ＬＣＤ）パネル２３や、図示しないデータ更新用ハンディターミナルとの間において、赤外線による非接触通信を実施してデータ更新を行うための非接触通信手段並びに更新手段を構成する赤外線通信ユニット２１の受光部や、人の接近を感知するための近接センサ２５とともに、上下左右に対応する矢印キーや、クリアキー、エンターキー、メニューキー、テンキーからなる操作パネル２４が設けられている。
【００２４】
尚、再生ユニット２０の背面には図示しない電源ソケットが設けられており、前記外装ボックス１０の内底面に形成された電源ソケットと嵌合することで、該電源ソケットに電源ケーブル７を通じて前記照光装置とともに、電力が供給されるようになっている。
【００２５】
この本実施例の再生ユニット２０の構成を図３のブロック図に基づいて説明すると、まず、再生ユニット２０内部には、前記電源ケーブル７を通じて供給されてきた交流電力を、再生ユニット２０内部にて使用される直流電力に変換して供給する電源回路２９が設けられている。
【００２６】
更に、前記前面パネルに設けられていた操作パネル２４や、赤外線通信ユニット２１、近接センサ２５、電源ＬＥＤ２２に加えて、前記外音取得孔１６に対応する位置に設けられて、周囲の騒音の音圧レベルを、Ａ／Ｄ変換して後述するＭＰＵ３０に出力する外音センサ２７や、前記液晶（ＬＣＤ）パネル２３の表示制御を行うＬＣＤ駆動回路３３や、前記放音部１５に対応する位置に設けられたスピーカ２８並びに該スピーカ２８から出力する音量を調節する増幅アンプ３６や、該増幅アンプ３６に前記ＭＰＵ３０からメモリカード３４から読み出されて出力されてきた音声データ（音楽データ）を、Ｄ／Ａ変換する音声コーデック３５や、前記メモリカードスロット２６に装着されたメモリカード３４や、現在の時間情報やカレンダ情報等を出力可能なリアルタイムクロック（ＲＴＣ）３２や、これら各部の制御を、プログラムロム（Ｐ−ＲＯＭ）３１に記憶された制御プログラムに基づいて実施するマイクロコンピュータ（ＭＰＵ）３０と、を備えており、これら各部が図３に示すように接続されることで、ＭＰＵ３０が人の接近や外部の騒音の大きさを把握できるとともに、再生出力する音量を調節できるようになっている。
【００２７】
尚、本実施例では、前記近接センサ２５としては、所定波長の赤外線を放射して人体により該所定波長の赤外線が反射されてきて、該反射強度が所定の閾値以上となった場合において人の接近があったものとして所定の信号を出力する赤外線近接センサを好適に使用することができるが、本発明はこれに限定されるものではなく、これら赤外線近接センサ以外の近接センサを使用しても良い。
【００２８】
また、本実施例においては、前記メモリカード３４として、デジタルカメラ等において多く使用されている書き換え記録が可能なフラッシュメモリを搭載したメモリカードを使用しており、このようにすることは、該メモリカード３４に記憶されている音声（音楽）データを、新たなデータに書き換え更新できることから好ましいが、本発明はこれに限定されるものではなく、これらメモリカード３４を書き換え記録が不可能なＲＯＭカードとしても良い。
【００２９】
また、本実施例の前記メモリカード３４には、図４に示すように、前記透過看板４の下部中央４’に印刷表示されている該透過看板４の種別を特定可能な識別符号に対応付けて、該透過看板４の種別に合致した再生音声データが複数登録されており、これら複数の再生音声データの内、どの再生音声データを再生するかを、前記操作パネル２４における設定操作によって設定することができるようになっている。
【００３０】
これら操作パネル２４における各設定の手順を図６から図９に基づき説明すると、まず、各設定をする際には、操作パネル２４に設けられている「ＭＥＮＵ」ボタンを押圧操作する。
【００３１】
該操作に基づき、前記液晶（ＬＣＤ）パネル２３には、図６（ａ）に示すように、「１．再生音声データリスト表示」、「２．再生音声データ指定」、「３．再生間隔時間設定」、「４．再生禁止時間帯設定」の４つのメニュー項目が表示される。
【００３２】
該メニュー項目の表示において、「１．再生音声データリスト表示」を選択した場合には、図６（ｃ）に示すように、前記メモリカード３４に記憶されている全ての再生音声データが、該再生音声データが対応する透過看板４の種別を特定可能な前記識別符号とともに一覧表示されるようになっていいて、これら表示リストの中から、前記透過看板４の下部中央４’に印刷表示されている識別符号に合致する再生音声データを選択して「ＥＮＴＥＲ」を入力することで、図６（ｄ）に示すように、該選択した再生音声データが再生音声データとして設定された旨のメッセージが、所定時間表示されるようになっている。
【００３３】
また、前記透過看板４の下部中央４’に印刷表示されている識別符号を直接入力して再生音声データを設定する場合には、図７（ｂ）に示すメニュー項目から「２．再生音声データ指定」を選択する。
【００３４】
該選択に基づき、図７（ｃ）に示す識別符号入力画面が表示され、該識別符号入力画面にて前記操作パネル２４のテンキーから、前記透過看板４の下部中央４’に印刷表示されている識別符号を入力し、全ての入力後に「ＥＮＴＥＲ」を入力することで、図７（ｄ）に示すように、該入力した再生音声データが再生音声データとして設定された旨のメッセージが、所定時間表示されるようになっている。
【００３５】
また、一度音声再生が終了してから再度音声再生が実施されるまでの時間間隔を設定変更したい場合には、図８（ｂ）に示すように、前記メニュー項目から「３．再生間隔時間設定」の項目を選択する。
【００３６】
該選択に伴い、図８（ｃ）に示す再生間隔入力画面が表示され、現時点での設定間隔が表示されるとともに、設定変更の入力部が画面下部に表示され、該設定変更の入力部にて新たな設定間隔を入力した後に「ＥＮＴＥＲ」を入力することで、図８（ｄ）に示すように、該入力した再生間隔が設定間隔として設定された旨のメッセージが、所定時間表示されるようになっている。
【００３７】
このように、再生間隔を設定変更できるようにすることは、これら再生間隔を周囲の状況に合わせたて適宜なものとすることができることから好ましいが、本発明はこれに限定されるものではなく、これら再生間隔が一義的に変更不可とされた構成としても良い。
【００３８】
また、音声再生を禁止したい再生禁止時間帯を設定変更したい場合には、図９（ｂ）に示すように、前記メニュー項目から「４．再生禁止時間帯設定」の項目を選択する。
【００３９】
該選択に伴い、図９（ｃ）に示す再生禁止時間帯設定画面が表示され、現時点での禁止設定時間帯が表示されるとともに、設定変更の入力部が画面下部に表示され、該設定変更の入力部にて新たな禁止設定時間帯を入力した後に「ＥＮＴＥＲ」を入力することで、図９（ｄ）に示すように、該入力した禁止設定時間帯が再生禁止時間帯として設定された旨のメッセージが、所定時間表示されるようになっている。
【００４０】
このように、再生禁止時間帯を設定変更できるようにすることは、これら再生禁止時間帯を周囲の状況に合わせたて適宜なものとすることができることから好ましいが、本発明はこれに限定されるものではなく、これら再生禁止時間帯が一義的に変更不可とされた構成としても良い。
【００４１】
また、本実施例では、再生禁止時間帯を設けることで該再生時間帯においては、音声再生出力を実施しないようにしており、このようにすることは、例えば夜間等において、音声再生出力がうるさい等の苦情の発生を大幅に少ないものにできることから好ましいが、本発明はこれに限定されるものではなく、これら再生禁止時間帯を有しない構成としても良い。
【００４２】
以下、本実施例の前記ＭＰＵ３０が行う処理内容を図５に示すフロー図に基づき説明すると、まず、Ｓ１において、前記近接センサ２５から、人の接近に伴う出力があるか否かの判定を行い、該判定において出力がない場合にはＳ２に進んで、前記赤外線通信ユニット２１における赤外通信（受信）が有るか否かの判定を実施し、該判定において赤外通信（受信）が無い場合には、Ｓ３に進んで、操作パネル２４からの入力が有るか否かの判定を実施し、入力が無い場合には前記Ｓ１に戻ることで、近接センサ２５からの入力或いは赤外通信（受信）或いは操作パネル２４からの入力待ちの状態が形成されており、近接センサ２５からの出力があった場合にはＳ４へ、赤外通信（受信）があった場合にはＳ１２のデータ更新処理ルーチンへ進み、操作パネル２４からの入力があった場合には、Ｓ１３の操作処理ルーチンへ進むようになっている。
【００４３】
前記Ｓ１において近接センサ２５からの出力があったと判断された場合には、Ｓ４へ進んで、前記ＲＴＣ３２から出力されてくる現在の時間が、再生禁止時間帯に該当しているかを判定し、再生禁止時間帯に該当している場合には前記Ｓ１へ戻り、該当していない場合にはＳ５へ進む。
【００４４】
このＳ５においては、前回の再生出力の終了時に開始されたタイマカウント（Ｓ１１参照）が、まだカウント中であるか否かを判定し、カウント中である場合には前記設定された再生間隔時間が、まだ経過していないものと判断して前記Ｓ１へ戻り、カウントが既に終了している場合にはＳ６へ進む。
【００４５】
Ｓ６では、前記外音センサ２７からの出力に基づき、周囲の騒音レベルを判定した後にＳ７に進み、判定した騒音レベルに対応する出力音量を、前記Ｐ−ＲＯＭに登録されている出力音量テーブルから特定し、該特定した出力音量を前記増幅アンプ３６にセットする。
【００４６】
該出力音量のセットの後にＳ８へ進んで、再生設定されている識別符号に対応する再生音声データを前記メモリカード３４から読み出して前記音声コーデック３５に該読み出した再生音声データを出力することで、音声コーデック３５にて再生音声データに基づく音声信号が再生され、該再生音声信号が前記増幅アンプ３６によりセットされている音量に増幅されてスピーカ２８から出力される（Ｓ９）。
【００４７】
該再生音声の出力を開始した後にＳ１０に進むことで、再生音声の出力の終了待ちの状態となり、再生音声の出力が終了した場合に前記再生間隔時間設定にて設定されている所定時間のタイマカウントを開始させる。
【００４８】
次いで、前記Ｓ２において図示しないデータ更新用ハンディターミナルからの通信が前記赤外線通信ユニット２１にて受信されてＭＰＵ３０に通信が有る旨の所定の信号が出力された場合には、Ｓ１２のデータ更新処理ルーチンが実施される。
【００４９】
このデータ更新処理ルーチンにおいては、前記メモリカード３４に登録されている再生音声データの書き換えとともに、該再生音声データとともにメモリカード３４に登録されている各設定データを更新できるようになっており、前記赤外線通信ユニット２１からの通信が有る旨の所定信号出力に基づき、前記液晶（ＬＣＤ）パネル２３に「受信ＯＫ」のメッセージを表示するとともに、データ更新用ハンディターミナルに対して「受信ＯＫ」の旨の所定コマンドが送信される。
【００５０】
該「受信ＯＫ」の所定コマンドの受信に伴い、データ更新用ハンディターミナルからは書き換えを行う更新データが送信され、該更新データにメモリカード３４の記憶データが更新されていき、前記液晶（ＬＣＤ）パネル２３には「更新中」が表示されるとともに、全ての書き換えが終了した場合には「更新完了」が表示されるとともに該「更新完了」の旨がデータ更新用ハンディターミナルに対して送信されることで、非接触通信により、前記開閉扉１１を開放することなく再生音声データ並びに設定データの一部或いは全部の更新を実施できるようになっている。
【００５１】
このように、赤外線を用いた非接触通信にて再生音声データや設定データの更新を実施できるようにすることは、これらデータの更新を迅速かつ簡便に実施することができることから好ましいが、本発明はこれに限定されるものではなく、これらデータの更新を非接触ではないケーブル等を接続した通信によって実施しても良い。
【００５２】
また、本実施例では、非接触通信の１形態として赤外線通信を例示したが、本発明はこれに限定されるものではなく、これら非接触通信として無線等を用いた通信を用いるようにしても良い。
【００５３】
また、本実施例では前記したように、音声データ記憶手段としてメモリカード３４を用い、該メモリカード３４を前記メモリカードスロット２６に着脱できるようになっており、前記メモリカード３４に記憶されているデータの多くを書き換える必要がある場合等においては、該メモリカード３４をメモリカードスロット２６から取外し、新たなメモリカード３４を挿入することで、データ更新を実施できるようになっている。
【００５４】
このように、音声データ記憶手段であるメモリカード３４が再生ユニット２０に対して着脱自在とすることは、音声データ記憶手段の交換を容易に実施できることにより、これら音声データ記憶手段に記憶されている音声データや音楽データの更新を、簡便かつ迅速に実施できることから好ましいが、本発明はこれに限定されるものではなく、これら音声データ記憶手段を内部に着脱不可に実装されたフラッシュメモリやＳＲＡＭやデータロム（Ｄ−ＲＯＭ）であっても良い。
【００５５】
以上の本実施例の音声再生広告看板１によれば、騒音レベル検知手段である前記外音センサ２７を有し、該外音センサ２７にて検知された周囲の騒音レベルに基づき、該騒音レベルに対応した音量に、再生音声或いは再生音楽がＭＰＵ３０により適宜に調整されるようになるため、広告看板が設置される周囲の騒音等の状況に応じた音声再生を行うことができ、騒音により再生される音声或いは音楽が、被広告者に聞こえ難い場合や、過度に大きな場合を生じることを回避できることで、より大きな広告効果を節度を持たせながら実施することができる。
【００５６】
以上、本発明を図面により説明してきたが、本発明はこれら実施例に限られるものではなく、本発明の要旨を逸脱しない範囲における変更や追加があっても本発明に含まれることは言うまでもない。
【００５７】
例えば、前記実施例では音声データ記憶手段であるメモリカード３４に複数の種類の再生音声データを記憶し、該複数の種類の再生音声データの中から再生する再生音声データを指定できるようにしており、このようにすることは、音声データ記憶手段であるメモリカード３４に記憶されている音声データ或いは音楽データの更新頻度を低減でき、これら更新に要する労力や回数を大幅に削減できることから好ましいが、本発明はこれに限定されるものではなく、これら音声データ記憶手段に記憶される再生音声データを１つのみとしても良い。
【００５８】
また、前記実施例では、透過看板４の種別を特定可能な識別符号に対応付けて再生音声データがメモリカード３４に登録されていて、前記透過看板４の下部中央４’に印刷表記されている該透過看板４の種別を特定可能な識別符号を入力或いは選択することで、該入力或いは選択された識別符号に対応して記憶されている再生音声データが再生出力されるようになっており、このようにすることは、広告看板である透過看板４の種別に対応する音声や音楽が、誤って指定されて再生出力されてしまうことを、大幅に低減することができることから好ましいが、本発明はこれに限定されるものではなく、これら識別符号による入力や選択を実施しない構成としても良い。
【００５９】
また、本実施例では実施していないが、前記識別符号をバーコード等の情報記録シンボルとして透過看板４に印刷しておき、該情報記録シンボルを前記データ更新用ハンディターミナル等にて読み取り、読み取った識別符号を前記赤外線通信にて再生ユニット２０に送信して、再生音声データの選択、設定を実施できるようにしても良い。
【００６０】
また、前記実施例では、再生間隔時間設定を実施して、該再生間隔時間設定に設定された時間が、前回の音声再生から経過しない場合には、音声再生を実施しないようになっており、このようにすることは、のべつまくなしに再生音声データの再生が行われることがなく、前記所定時間を該広告看板が設置された周囲の状況に合わせて適宜に調整しておくことで、節度を持った広告を実施することができることから好ましいが、本発明はこれに限定されるものではなく、これら再生間隔時間が設定されていない構成としても良い。
【００６１】
また、前記実施例では、再生可能な再生音声データを１つのみ設定できるようにしているが、本発明はこれに限定されるものではなく、これら再生音声データを一日の各時間帯において異なる再生音声データを再生できるようにすること等は任意とされる。
【００６２】
また、前記実施例では、広告看板として照光機能を備える透光看板２を用いたが、本発明はこれに限定されるものではなく、これら広告看板としては、照光機能を有しない通常の印刷看板やポスター等にも使用できることは言うまでもない。
【００６３】
また、前記実施例では、外部から電力の供給を受けて音声再生を実施しているが、本発明はこれに限定されるものではなく、これら電力原として電池や太陽光発電による発電や充電機構を設けること等は、任意とされる。
【００６４】
また、前記実施例では、再生ユニット２０の設置位置を、音声再生広告看板の中央位置としているが、本発明はこれに限定されるものではなく、これら再生ユニット２０の設置位置等は適宜に選択すれば良い。
【００６５】
また、前記実施例では、操作パネル２４を設けているが、本発明はこれに限定されるものではなく、前記データ更新用ハンディターミナル等を用いて設定等を行う場合や、設定内容が一義的なものとする場合には、これら操作パネル２４を有しない構成としても良い。
【００６６】
【発明の効果】
本発明は次の効果を奏する。
（ａ）請求項１の発明によれば、騒音レベル検知手段を有し、該騒音レベル検知手段にて検知された周囲の騒音レベルに基づき、該騒音レベルに対応した音量に、再生音声或いは再生音楽が音量変更手段にて適宜に調整されるようになるため、広告看板が設置される周囲の騒音等の状況に応じた音声再生を行うことができる。
【００６７】
（ｂ）請求項２の発明によれば、再生ユニットの変更や更新操作を、再生ユニットを広告看板から取り外すことで、容易に実施することができる。
【００６８】
（ｃ）請求項３の発明によれば、前記着脱可能とされた再生ユニットが持ち去られてしまうことを極力回避できる。
【００６９】
（ｄ）請求項４の発明によれば、所定時間が経過した後において、人の近接検知があった場合においてのみ音声データ或いは音楽データが再生出力されることで、のべつまくなしに音声データ或いは音楽のデータの再生が行われることがなく、前記所定時間を該広告看板が設置された周囲の状況に合わせて適宜に調整しておくことで、節度を持った広告を実施することができる。
【００７０】
（ｅ）請求項５の発明によれば、該広告看板が設置された周囲の状況に合わせて適宜に所定時間を変更できる。
【００７１】
（ｆ）請求項６の発明によれば、例えば夜間等において、前記音声再生出力手段からの再生出力がうるさい等の苦情の発生を大幅に少ないものにできる。
【００７２】
（ｇ）請求項７の発明によれば、広告看板が設置された周囲の状況に合わせて再生禁止期間設定手段により再生禁止期間を設定、変更することができる。
【００７３】
（ｈ）請求項８の発明によれば、音声データ記憶手段に記憶されている音声データ或いは音楽データの更新を、迅速かつ簡便に実施できる。
【００７４】
（ｉ）請求項９の発明によれば、書き換えデータの更新を、非接触にて迅速かつ簡便に実施することができる。
【００７５】
（ｊ）請求項１０の発明によれば、音声データ記憶手段の交換を容易に実施できることにより、これら音声データ記憶手段に記憶されている音声データや音楽データの更新を、簡便かつ迅速に実施できる。
【００７６】
（ｋ）請求項１１の発明によれば、音声データ記憶手段に記憶されている音声データ或いは音楽データの更新頻度を低減でき、これら更新に要する労力や回数を大幅に削減できる。
【００７７】
（ｌ）請求項１２の発明によれば、広告看板の種別に対応する音声や音楽が、誤って指定されて再生出力されてしまうことを、大幅に低減することができる。
【図面の簡単な説明】
【図１】本発明の実施例における音声再生広告看板を示す外観正面図である。
【図２】本発明の実施例に用いた音声出力部を示す外観斜視図である。
【図３】本発明の実施例に用いた再生ユニットの構成を示すブロック図である。
【図４】本発明の実施例に用いたメモリカードにおける記憶データの構成を示す図である。
【図５】本発明の実施例に用いた再生ユニットのＭＰＵが実施する処理フォローを示す図である。
【図６】（ａ）〜（ｄ）は、本発明の実施例における再生音声データの選択設定手順を示す説明図である。
【図７】（ａ）〜（ｄ）は、本発明の実施例における再生音声データの入力設定手順を示す説明図である。
【図８】（ａ）〜（ｄ）は、本発明の実施例における再生間隔時間設定の設定手順を示す説明図である。
【図９】（ａ）〜（ｄ）は、本発明の実施例における再生禁止時間帯設定の設定手順を示す説明図である。
【符号の説明】
１　　　音声再生広告看板
２　　　透光看板
３　　　外周枠
４　　　透過看板
４’　　下部中央
５　　　音声出力部
６　　　固定ねじ
７　　　電源ケーブル
１０　　外装ボックス
１１　　開閉扉
１２　　透明窓部
１３　　シリンダ錠（施錠手段）
１３’　係合片
１４　　係合孔
１５　　放音部
１６　　外音取得孔
２０　　再生ユニット
２１　　赤外線通信ユニット（更新手段、非接触通信手段）
２２　　電源ＬＥＤ
２３　　液晶（ＬＣＤ）パネル（所定時間設定変更手段、再生禁止期間設定手段）
２４　　操作パネル（再生データ指定手段）
２５　　近接センサ（人近接検知手段）
２６　　メモリカードスロット
２７　　外音センサ（騒音レベル検知手段）
２８　　スピーカ（音声再生出力手段）
２９　　電源回路
３０　　マイクロコンピュータ（ＭＰＵ；音量変更手段、所定時間設定変更手段、再生禁止期間設定手段、更新手段）
３１　　プログラムロム（Ｐ−ＲＯＭ）
３２　　リアルタイムクロック（ＲＴＣ）
３３　　駆動回路
３４　　メモリカード（音声データ記憶手段）
３５　　音声コーデック（音声再生出力手段）
３６　　増幅アンプ（音声再生出力手段、音量変更手段）
【図１】
2004062121.tif 000003
【図２】
2004062121.tif 000004
【図３】
2004062121.tif 000005
【図４】
2004062121.tif 000006
【図５】
2004062121.tif 000007
【図６】
2004062121.tif 000008
【図７】
2004062121.tif 000009
【図８】
2004062121.tif 000010
【図９】
2004062121.tif 000011